(57)【要約】      （修正有）【課題】アース部材の設置に必要なスペースを抑制しつつも多くの遊技部品を設けることが可能な遊技機を提供する。【解決手段】裏ユニット３５に設けられて中枠に対して遊技盤を嵌め込んだ際に第１アース部材に対して接触する導電性の第２アース部材と、透明樹脂盤３４の開口部４１に臨むとともに第２アース部材に対して電気的に接続される導電性の第３アース部材８８と、を備える遊技機において、透明樹脂盤の表面に対して平行な方向に互いに隣接する位置に配置されており、遊技部品のうちの少なくとも一方の遊技部品は、導電性を備える導電部Ｋを有するとともに他方の遊技部品に対して導電部Ｋにて接触し、且つ、該一方の遊技部品が透明樹脂盤３４の開口部４１に取り付けられた際に第３アース部材８８に対して導電部Ｋにて接触することにより、アース部材の設置に必要なスペースを抑制しつつも多くの遊技部品を設けることが可能となる。【選択図】図１２
2010119595.tif 000002
【特許請求の範囲】
【請求項１】
遊技球が転動流下する遊技領域を前面に形成するとともに遊技領域の所定位置に開口部が形成されている透明樹脂盤と該透明樹脂盤の後面に組み付けられる裏ユニットとを備える遊技盤と、
透明樹脂盤の開口部に取り付けられ遊技球を入賞可能に構成された少なくとも２つの遊技部品と、
上下左右の枠部材にて構成されて遊技盤を着脱自在に嵌め込み可能な中枠と、
中枠を構成する枠部材に設けられる導電性の第１アース部材と、
裏ユニットに設けられて裏ユニットの前方側および後方側に露出するとともに中枠に対して遊技盤を嵌め込んだ際に第１アース部材に対して接触する導電性の第２アース部材と、
透明樹脂盤の開口部に臨むとともに第２アース部材に対して電気的に接続される導電性の第３アース部材と、を備える遊技機であって、
少なくとも２つの遊技部品は、透明樹脂盤の表面に対して平行な方向に互いに隣接する位置に配置されており、
互いに隣接しあう２つの遊技部品のうちの少なくとも一方の遊技部品は、導電性を備える導電部を有するとともに他方の遊技部品に対して導電部にて接触し、且つ、該一方の遊技部品が透明樹脂盤の開口部に取り付けられた際に第３アース部材に対して導電部にて接触する、こと特徴とする遊技機。
【請求項２】
前記互いに隣接しあう２つの遊技部品は、透明樹脂盤の表面よりも後方の位置にて互いに接触している、請求項１に記載の遊技機。
【請求項３】
前記互いに隣接しあう２つの遊技部品において、少なくとも一方の遊技部品は、透明樹脂盤の表面に対して平行な方向に突出した導電性の突出部を備え、且つ、該突出部にて他方の遊技部品に対して透明樹脂盤の厚み方向に接触している、請求項１または２に記載の遊技機。
【発明の詳細な説明】
【技術分野】
【０００１】
本発明は、複数の遊技部品を取り付けた透明樹脂盤と裏ユニットとを有する遊技盤を備えた遊技機に関する。
【背景技術】
【０００２】
パチンコ機などの遊技球を使用する遊技機としては、アクリル板やポリカーボネート板などからなる透明樹脂盤と該透明樹脂盤の裏面に設けられる裏ユニットとを備える遊技盤を備えたものが知られている。裏ユニットには、ＬＥＤランプや図柄等の装飾部材、液晶表示装置、これらの装置を制御する制御回路基板などが備えられている。
【０００３】
透明樹脂盤には、遊技球が転動流下する遊技領域が形成されており、また、遊技領域内には開口部が形成されるとともに、複数の遊技部品が開口部に取り付けられている。なお、遊技部品には、遊技球が入賞可能な入賞装置（例えば、始動入賞装置、アタッカー装置）が含まれる。
【０００４】
このような透明樹脂盤は、転動流下する遊技球との間で摩擦を生じやすいものであり、その際、静電気が発生しやすい。この静電気の発生は、遊技球と接触する頻度の高い遊技部品の近傍で特に大きい。この静電気は、裏ユニットを構成する液晶表示装置の画面表示を乱す原因となるばかりか、制御回路基板に誤作動を生じさせる原因となるという問題を引き起こす。
【０００５】
この問題について、中枠に対して遊技盤をはめ込んだ際に、遊技盤の裏ユニットに備えられたアース部材と中枠に備えられた金具とを接触させ、遊技盤の透明樹脂盤とアース部材とを互いに接触させることで透明樹脂盤に生じた静電気を遊技機外部に逃がすように構成した遊技機が提案されている（特許文献１）。
【０００６】
【特許文献１】特開２００５−３０５１４２号公報
【発明の開示】
【発明が解決しようとする課題】
【０００７】
特許文献１に記載された遊技機において、遊技部品やその近傍に生じる静電気を退避させようとすれば、それぞれの遊技部品に対してアース部材（例えば、アース配線やアース金具）の一方端を電気的に接続するように設けるとともにその他方端を裏ユニットのアース部材に接続する必要がある。このとき、それぞれの遊技部品において、アース部材を経由して静電気が裏ユニットへ導かれ、そこからさらに遊技機外部へと退避される。
【０００８】
ところで、遊技機については、遊技者の興趣を向上させるために遊技盤に遊技部品を多く設けることが検討される。このとき、多くの遊技部品を遊技盤に設けるには裏ユニットにおける遊技部品の制御回路基板を配置するためのスペースを大きく確保する必要があるため、アース配線を取り回すために使用できるスペースは、より制限される必要がある。
【０００９】
しかしながら、特許文献１に記載された遊技機では、遊技者の興趣を向上させるために遊技部品を多数設置しようとするほど、遊技部品の増加に応じてアース部材の設置数も増やさざるを得ず、アース部材の配置スペースも拡大させなければならない。例えば、アース部材がアース配線であるような場合、裏ユニットにおけるアース配線を取り回すために用いるスペースを制限する必要があるにもかかわらず、アース配線を取り回すためのスペースをより大きく確保しなければならなくなる。
【００１０】
本発明は、アース部材の設置に必要なスペースを抑制しつつも多くの遊技部品を設けることが可能な遊技機を提供することを目的とする。
【課題を解決するための手段】
【００１１】
本発明は、（１）遊技球が転動流下する遊技領域を前面に形成するとともに遊技領域の所定位置に開口部が形成されている透明樹脂盤と該透明樹脂盤の後面に組み付けられる裏ユニットとを備える遊技盤と、
透明樹脂盤の開口部に取り付けられ遊技球を入賞可能に構成された少なくとも２つの遊技部品と、
上下左右の枠部材にて構成されて遊技盤を着脱自在に嵌め込み可能な中枠と、
中枠を構成する枠部材に設けられる導電性の第１アース部材と、
裏ユニットに設けられて裏ユニットの前方側および後方側に露出するとともに中枠に対して遊技盤を嵌め込んだ際に第１アース部材に対して接触する導電性の第２アース部材と、
透明樹脂盤の開口部に臨むとともに第２アース部材に対して電気的に接続される導電性の第３アース部材と、を備える遊技機であって、
少なくとも２つの遊技部品は、透明樹脂盤の表面に対して平行な方向に互いに隣接する位置に配置されており、
互いに隣接しあう２つの遊技部品のうちの少なくとも一方の遊技部品は、導電性を備える導電部を有するとともに他方の遊技部品に対して導電部にて接触し、且つ、該一方の遊技部品が透明樹脂盤の開口部に取り付けられた際に第３アース部材に対して導電部にて接触する、こと特徴とする遊技機、
（２）  前記互いに隣接しあう２つの遊技部品は、透明樹脂盤の表面よりも後方の位置にて互いに接触している、上記（１）に記載の遊技機。
（３）  前記互いに隣接しあう２つの遊技部品において、少なくとも一方の遊技部品は、透明樹脂盤の表面に対して平行な方向に突出した導電性の突出部を備え、且つ、該突出部にて他方の遊技部品に対して透明樹脂盤の厚み方向に接触している、上記（１）または（２）に記載の遊技機、を要旨とする。
【発明の効果】
【００１２】
本発明によれば、隣接する遊技部品を接触させて導電可能に構成することで、遊技部品ごとにアース配線を取り回す必要性をなくすることができ、裏ユニットにおいてアース配線などのアース部材を配置するためのスペースを制限することができる。アース部材を制限できることで、裏ユニットにおいて、遊技部品の制御回路基板を配置するスペースを確保でき、アース配線を除く各種の配線を遊技機内に取り回す際における自由度を確保・向上することができる。
【００１３】
本発明によれば、隣り合う遊技部品同士が透明樹脂盤の表面よりも後方で導電可能に接触するので、遊技球が遊技部品同士の接触部分に衝突して遊技部品同士の接触が解除される虞や、遊技部品同士の導電性が損なわれるという虞が効果的に抑制される。
【００１４】
本発明によれば、「互いに隣接しあう２つの遊技部品が透明樹脂盤の面内方向に突出した導電性の突出部にて接触し、且つ、突出部を有する少なくとも一方の遊技部品が、突出部にて他方の遊技部品に対して透明樹脂盤の厚み方向に接触する」ことにより、２つの遊技部品を互いに導電可能に接触させることができなくなるという虞を効果的に抑制することが可能となる。すなわち、本発明では、「突出部を有する少なくとも一方の遊技部品が、突出部にて他方の遊技部品に対して透明樹脂盤の厚み方向に接触している」ため、２つの遊技部品の少なくとも一方が本来の寸法よりも多少小寸法に作成された場合や、遊技部品を取り付けるにあたり取付誤差が生じてしまった場合であっても、２つの遊技部品が互いに透明樹脂盤の面方向（透明樹脂盤の厚み方向に垂直な面が広がる方向）に離れてしまって互いに接触しなくなるという虞を効果的に抑制することが可能となる。
【発明を実施するための最良の形態】
【００１５】
本発明の実施例を図面に基づき詳細に説明する。本実施例では、遊技球を入賞可能に構成された少なくとも２つの遊技部品として第１遊技部品、第２遊技部品が、透明樹脂盤前面側における遊技機の透明樹脂盤の開口部に取り付けられており、且つ、第１遊技部品と第２遊技部品がそれぞれ後述する始動入賞装置とアタッカー装置であるような場合を例として説明する。
【００１６】
本明細書において、遊技機１００の前側、後側は、遊技機１００を正面から見た場合（図１参照）のそれぞれ正面側（前面側）、裏面側（後面側）を示し、遊技機１００の上下左右側は、遊技機１００を正面に見てそれぞれ上側、下側、左側及び右側を示すものとする。
【００１７】
図１は本発明の遊技機の実施例の１つを示す正面図（ただし、便宜上、遊技盤の記載を省略）、図２は図１に示す遊技機の前枠と遊技盤を取り除いた状態の概略を示す概略正面図、図３は、遊技盤保持空間に嵌め込まれる遊技盤の概略正面図（ただし、図柄表示装置の記載を省略）である。
【００１８】
図１、２に示すように、本実施例の遊技機１００は、縦長方形の中枠１と外枠２を備えるとともに、中枠１を外枠２に開口前面側に開閉自在に収容している。
【００１９】
中枠１は、その内側に遊技盤保持空間１０を形成するとともに遊技盤保持空間１０に遊技盤３を保持するものであり、中枠１の前面側には、前後方向に開口した枠体を備えた前枠４が装着され、その前枠４の直下位置に下球皿６、打球発射装置７等が装着されている。中枠１の後面側には、遊技盤３を裏面側から覆う保護カバー１１が、中枠１に開閉自在に装着されている。
【００２０】
前枠４には、枠体の開口位置後方側にガラス材が取り付けられて窓枠が形成されており、遊技盤３を装着した中枠１に対して前枠４が装着されると、ガラス材を取り付けられた前枠４は、遊技盤３を覆って、遊技盤３前面を保護する。また、前枠４をなす枠体前面側の下部位置には、意匠を施された上球皿５が設けられて、前枠４の枠体とともに中枠１に対して横開き状態で開閉可能に組み付け整合されている。さらに、前枠４の前面左側上下端には、中枠１に回動可能に軸支されるための前枠支持部１２が形成されている。
【００２１】
下球皿６は、その前面左側上下端に下球皿支持部１３を形成しており、下球皿支持部１３にて中枠１に回動可能に軸支される。
【００２２】
保護カバー１１は、適宜の形状に形成されて、中枠１の後面側に取り付けられて遊技盤３の後方側の部分を構成する裏ユニット３５や図柄表示装置４０を覆い、裏ユニット３５や図柄表示装置４０を保護する。前方から保護カバー１１を見た場合において、保護カバー１１の右側縁の所定位置には、中枠１に回動自在に軸支されるための保護カバー支持部２０が形成されている。保護カバー支持部２０は、右方向に突出した支持材２０ａと支持材２０ａから上下方向上向きに突出した支持軸２０ｂとで構成される。
【００２３】
外枠２は、上下左右の外枠部材８（上外枠部材８ａ、下外枠部材８ｂ、左外枠部材８ｃ、右外枠部材８ｄ）を備えて形成されている。上枠部材８ａ、下枠部材８ｂ、左枠部材８ｃ、右枠部材８ｄは、それぞれ外枠２の上縁、下縁、右側縁、左側縁を形成するものであり、これらは、上下左右の外枠部材を組み付けした際に外枠２の矩形状の外形を呈するように構成される。
【００２４】
中枠１は、上下左右の枠部材９（上枠部材９ａ、下枠部材９ｂ、左枠部材９ｃ、右枠部材９ｄ）を備えて形成されている。中枠１は、上下左右の枠部材９を相互に螺子止めする等の公知の固定方法を適宜用いてこれら上下左右の枠部材９を組み付けして中枠１となす際に外枠２の開口領域に対して整合するような外形を呈する。また、このとき、中枠１において枠部材９で四方を囲まれた内側は、遊技盤保持空間１０をなしており、遊技盤保持空間１０は、遊技盤３を正面から見た場合の遊技機３の外輪郭形状に対しておおよそ整合するような形状を呈して形成されている。
【００２５】
上枠部材９ａ、下枠部材９ｂ、左枠部材９c、右枠部材９ｄ、は、それぞれ中枠の上縁、下縁、右側縁、左側縁を形成するものである。
【００２６】
上枠部材９ａには、遊技球を遊技盤３内に流下させるための球流下路を形成した球流下機構（図示しない）が形成されており、球流下機構の後方側に、遊技球を貯留し供給するための球貯留タンク（図示しない）や、遊技球の通過する各種の球経路と遊技球の入賞時に遊技者へ付与する入賞球の払い出しを制御する制御装置とを備える球払出ユニットなどが装着される。
【００２７】
下枠部材９ｂには、遊技盤３面を流下した遊技球を排出するための球排出機構（図示しない）が形成されている。
【００２８】
上枠部材９ａ前面左側上端、および下枠部材９ｂ前面左端下端には、前枠４と下球皿６をそれぞれ上端左側と下端左側で回動可能に支持するために前方に突出形成された支持部材２４、２５が配設されている。
【００２９】
また、下枠部材９ｂ左端上端には、支持部材２４と支持部材２５の間に鉛直方向に並ぶように、前枠４と下球皿６をそれぞれ下端左側と上端左側で回動可能に支持するために前方に突出形成された支持部材２６が配設されている。
【００３０】
上枠部材９ａ下面右端、および下枠部材９ｂ上面右端には、遊技盤３を着脱自在に固定する固定部材２７が設けられている。固定部材２７は、遊技機１００の後方向にのびる支軸にて回動可能に上下の枠部材９ａ、９ｂに設けられる。これらの固定部材２７は、遊技盤３の右側上下端隅の位置で、その遊技盤３を中枠１に対して固定する。また、遊技盤３の左側の位置で、その遊技盤３を中枠１に対して固定するために、左枠部材９ｃには、遊技盤３を保持する保持具２８が設けられている。
【００３１】
遊技盤３を中枠１に嵌めこみ保持するにあたり、遊技盤３の左側縁部が、保持具２８で保持される。そして、その状態を維持したまま、遊技盤３の左側縁部を軸として、遊技機３を中枠１内に押し込み、遊技盤３の右側縁部も中枠１内に収容される。そして、固定部材２７が回動されて、遊技機３は、その右側縁部上下端隅にて中枠１内に固定される。なお、中枠１に対する遊技盤３の上下方向の固定は、上枠部材９ａ下面、および下枠部材９ｂ上面が遊技盤３を上下に挟み込むことで実現される。
【００３２】
右枠部材９ｄにおいて、上下方向に互いに離間した２箇所に、軸受具３０（第１軸受具３０ａ、第２軸受具３０ｂ）が、取り付けられている。この軸受具３０は、遊技機１００後方に向かって突出する軸受部３１と、右枠部材９ａを前方から見た場合に軸受部３１の右側縁より下方にのびるとともに右枠部材９ｄに固定するための螺子を通じる貫通孔を備えた取付部３２とを備える（図５）。個々の軸受具３０において、軸受部３１にはその突出先端よりやや遊技機前方側の位置に上下方向に軸受部３０を貫通した孔部３３が穿設形成されている。軸受具３０は、取付部３２の貫通孔にビスを通じて中枠１に対してビス止め固定される。個々の軸受部３１における孔部３３には、保護カバー１１の保護カバー支持部２０を構成する支持軸２０ｂが挿入され、保護カバー１１は、回動自在に軸支される。
【００３３】
右枠部材９ｄにおいて、上下方向に異なる２箇所に形成された軸受具３０のうち、少なくとも上側に形成された第１軸受具３０ａは、金属など導電性の部材にて構成されており、この第１軸受具３０ａが第１アース部材をなしている。
【００３４】
遊技盤３は、アクリル板やポリカーボネート板などの光透過性を備えた樹脂材料から構成される透明樹脂盤３４と、透明樹脂盤３４の後面側に組付けられる裏ユニット３５を備えるとともに、裏ユニット３５の後方に図柄表示装置４０を設けてなり、中枠１の遊技盤保持空間１０の形状に整合するような形状に形成されており、すなわち略正面正方形状の外形輪郭形状を呈している（図４）。
【００３５】
透明樹脂盤３４の前面には、打球発射装置７に連なり遊技球を案内する略円形状の案内レール３６が設けられている。遊技時においては、透明樹脂盤３４の前面における案内レール３６で囲まれた所定領域内を遊技球が転動流下することで、ゲームが展開される。すなわち、「透明樹脂盤３４の表面の領域のうち案内レール３６で囲まれて遊技球の流下可能な領域」が、遊技機１００において「ゲームが展開される領域」となる遊技領域（図３において、領域Ｐ）をなす。
【００３６】
透明樹脂盤３４には、その中央部に大口の開口部（大開口部３７）が形成されており、大開口部３７の内縁部３７ａに沿ってセンター役物３８が設置されている。センター役物３８には中央部に、画面用開口部３９が形成されている。遊技機１００においては、この画面用開口部３９に対し、複数種類の図柄を変動・停止表示可能な図柄表示装置４０の画面が臨むように配置される。すなわち、遊技機１００には、図柄表示装置４０が、裏ユニット３５の後方側に設けられるが、透明樹脂盤３４に裏ユニット３５と図柄表示装置４０を組付けて遊技盤３を構成する際に、図柄表示装置４０は、その画面が画面用開口部３９から視認可能な位置に配置される。
【００３７】
透明樹脂盤３４において、遊技領域Ｐ内の位置であってセンター役物３８の下方には、大開口部３７よりも小寸法な開口部（遊技部材設置用開口部４１）が形成されている。遊技部材設置用開口部４１には、遊技部品が設置され、具体的に、可変入賞装置である始動入賞装置４２と、開閉板４３によって入賞口の開閉可能なアタッカー装置４４とが、始動入賞装置４２を上側、アタッカー装置４４を下側にして上下方向に並んで挿入されて配置される。
【００３８】
また、透明樹脂盤３４において、センター役物３８の右側には、コーナー飾り９６が設けられており、このコーナー飾り９６は、遊技機１００を前方正面から見た場合に案内レール３６の右側上方端部で案内レール３６に対して部分的に重なりあうように配置される。さらに、透明樹脂盤３４において、普通入賞装置４５、風車４６、障害釘４７、遊技盤３表面の装飾部材４８などといった各種の遊技部材が適宜配置されている。
【００３９】
透明樹脂盤３４に設けられるアタッカー装置４４は、開閉扉４３と遊技球を転動流下可能な流路を形成する部材とを備えたアタッカー本体部５０と、アタッカー本体部５０の開閉扉４３外縁周囲より外側方向（透明樹脂盤３４の表面に対して並行な上下左右方向）に突出したアタッカーフランジ部５１とを備えてなる（図１２）。
【００４０】
透明樹脂盤３４に設けられる始動入賞装置４２は、遊技球を転動流下可能な流路を備えた本体部５２と、本体部５２の外周より外側方向（上下左右方向）に突出したフランジ部５３とを備えてなる（図７，８，１２）。
【００４１】
始動入賞装置４２の本体部５２は、図７（ａ）（ｂ）（ｃ），図８に示すように、遊技球を流下するための流路を形成する流路形成部材５４，５５、本体部５２内へと流下してきた遊技球を検知するセンサ５６，５７、互いに左右方向逆方向に回動可能に軸着され始動入賞口への入賞しやすさを変更する左右一対の可動翼片５８，５９、可動翼片５８，５９の前方を覆う前板６０、互いに逆方向に可動翼片５８，５９を回動させる翼片制御機構６１を備える。翼片制御機構６１は、一対の可動翼片５８，５９の軸部５８ａ，５９ａに接触して支えるとともに互いに逆向きに回動させる翼片支持部材６２と、励磁・消磁にて圧縮伸長するコイルスプリングにより前後方向に可動なプランジャーを有するソレノイド６３と、ソレノイド６３と翼片支持部材６２の間にあってプランジャーの先端から物理力を受けてその物理力を翼片支持部材６２に伝達する中継部材６４とからなる。なお、始動入賞装置４２には、前板６０や後述のフランジ本体部６５の前面などに意匠が施されるほか、装飾部材が適宜設けられて、始動入賞装置４２全体としての意匠性の向上が図られることがある。図７，８の例では、フランジ本体部６５に、光を透過可能に着色された半透明な光透過性装飾部材６６が設けられ、光透過性装飾部材６６の後方にＬＥＤを備えた発光装置６７が配置されている。
【００４２】
始動入賞装置４２のフランジ部５３は、図７（ｂ）（ｃ）、図８、図１２に示すように、フランジ本体部６５を備えるとともに、フランジ本体部６５から後方に向かって伸びるボス部６８を形成してなる。ボス部６８の後方端面には、前方に向かって螺子７０を羅合可能な螺子孔６９が形成されている。そして、このフランジ部５３には、ボス部６８の後方端に、本体部５２の後面の後方まで伸びる導電性の金具である導電部材７１が導電性の螺子７０を介して取り付けられている。始動入賞装置４２のフランジ部５３においては、フランジ本体部６５とボス部６８は、それらの表面にめっき処理を施されており、導電性を有している。このとき、始動入賞装置４２には、フランジ本体部６５とボス部６８と螺子７０と導電部材７１が全体として導電性を有する部分（導電部）（図１２中、符号Ｋで示す斜線部分（この部分は、図１２中、実線部分の斜線にて表示する部分と破線部分の斜線にて表示する部分の両方を含む））を形成する。すなわち、フランジ本体部６５に静電気が生じたあるいは伝えられた場合、その静電気は、フランジ本体部６５からボス部６８、螺子７０、導電部材７１へと伝えられることが可能となっており、フランジ本体部６５とボス部６８と螺子７０と導電部材７１が全体として導電部Ｋをなしている。
【００４３】
導電部材７１は、前方形成部７２と後方形成部７３とからなる。すなわち、導電部材７１のうち、本体部５２の後端部よりも後方に位置して始動入賞装置４２後方側から本体部５２の後端部を覆う（少なくとも部分的に覆う）部分を、後方形成部７３となし、後方形成部の右上端縁（始動入賞装置４２を前方から見た場合における右上端縁）から前方のボス部６８に向かって伸びる部分を、前方形成部７２となす。さらに、前方形成部７２においては、その前後方向前方側の部分で上方側に屈曲して屈曲部７４が形成されており、屈曲部７４から上方に向かう部分に貫通孔７５が形成されている。前方形成部７２は、屈曲部７４から上方に向かう部分にてボス部６８に当接している。このとき、貫通孔７５は、ボス部６８の螺子孔６９に対向している。そして、螺子７０が貫通孔７５を通じて螺子孔６９に対して羅合されている。
【００４４】
始動入賞装置４２は、フランジ部５３におけるフランジ本体部６５の裏面側下方側縁部よりやや内側の位置から透明樹脂盤３４の表面に対して平行な方向に下方に突出する突出部８０を備える（図１０、図１２）。また、この突出部８０は、透明樹脂盤３４の厚み方向に後方に向かって隆起している。突出部８０の大きさは、始動入賞装置４２とアタッカー装置４４とが相互に接触可能な大きさの範囲で適宜定められる。
【００４５】
この突出部８０は、その表面にめっき処理を施されており、導電性を有する。突出部８０においてめっきされた部分は、フランジ本体部６５においてめっきされた部分に繋がっている。
【００４６】
透明樹脂盤３４において、始動入賞装置４２とアタッカー装置４４は、透明樹脂盤３４の表面に対して平行な方向に互いに隣接する位置に配置されており、透明樹脂盤３４の表面３４ａと同位置もしくは後方の位置にて互いに接触している。このとき、始動入賞装置４２は、図１０、図１２に示すように突出部８０にてアタッカー装置４４に対して透明樹脂盤３４の厚み方向に接触する。
【００４７】
なお、遊技機１００において、突出部８０は、透明樹脂板３４ａの表面よりも後方の位置に配置されて、始動入賞装置４２とアタッカー装置４４はそのような突出部８０にて互いに接触していることがより好ましい。突出部８０がめっき処理などにてその表面に導電性を有する層を形成してなる場合、遊技球が突出部８０のめっき面に容易に衝突しやすい状態となっていると、衝突位置のめっきが剥がれ、突出部８０の導電性が損なわれ、始動入賞装置４２とアタッカー装置４４との導電性が損なわれる虞がある。この点、突出部８０が、透明樹脂板３４ａの表面よりも後方の位置に配置されることで、遊技球が突出部８０のめっき面に衝突することを避けることができ、始動入賞装置４２とアタッカー装置４４との導電性が損なわれる虞を抑制できる。
【００４８】
始動入賞装置４２とアタッカー装置４４は、次のように透明樹脂盤３４に固定される。始動入賞装置４２が、本体部５２の後方より透明樹脂盤３４の遊技部材設置用開口部４１に対して挿入される。始動入賞装置４２のフランジ部５３において、フランジ本体部６５の輪郭の一部が遊技部材設置用開口部４１の輪郭よりも外側に存在するような大きさにて形成されており、そのフランジ部本体部６５の裏面の少なくとも一部は透明樹脂盤３４の表面に当接する（図９）。さらに、アタッカー装置４４が、そのアタッカー本体部５０の後方より、透明樹脂盤３４の遊技部材設置用開口部４１に対して挿入される。アタッカー本体部５０は、始動入賞装置４２の本体部５２よりも下方位置に配置される。なお、アタッカー装置４４において、アタッカーフランジ部５１は、始動入賞装置と同じく、その輪郭の一部が遊技部材設置用開口部４１の輪郭よりも外側に存在するように形成されており、アタッカーフランジ部５１の裏面の少なくとも一部は透明樹脂盤３４の表面に当接する（図９）。このとき、透明樹脂盤３４を正面から見た場合に、始動入賞装置のフランジ部５３とアタッカー装置のフランジ部５１とで、開口部４１が覆われる。そして、始動入賞装置４２とアタッカー装置４４が透明樹脂盤３４に当接する位置に、螺子などが通ぜられる。こうして、始動入賞装置４２とアタッカー装置４４が透明樹脂盤３４に対して固定される。
【００４９】
裏ユニット３５は、透明樹脂盤３４とおおよそ同じ正面形状を呈する樹脂成形されてなる枠状体８１である。裏ユニット３５が、透明樹脂盤３４の後面に対して整合するように組付けられると、透明樹脂盤３４の裏面側に配置される。さらに枠状体８１の後方側には、図柄表示装置４０が配置される。このとき、図柄表示装置４０は、その画面が枠状体８１の内側空間８２に臨むように配置される。このとき、図柄表示装置４０は、裏ユニット３５の後面から枠状体８１の内側空間８２を介して透明樹脂盤３４に設けたセンター役物３８の画面用開口部３９に臨む位置に配置された状態となっており、図柄表示装置４０の図柄表示画面が、遊技機１００前面側から視認可能になっている。
【００５０】
裏ユニット３５の右側縁部には、第２アース部材８３が螺子８４にて取り付けられている（図４、５、６）。第２アース部材８３が取り付けられる位置は、中枠１に遊技盤３を取り付けた際に中枠１の第１軸受具３０ａに対して前後方向に対面する遊技盤３の位置である。
【００５１】
第２アース部材８３は、導電性を有する金属片を連続コ字状に屈曲形成した連続コ字状屈曲金具８５である。第２アース部材８３をなす連続コ字状屈曲金具８５は、螺子８４にて裏ユニット３５に留め付けられる部分を基体部８５ａとなし、基体部８５ａの前端縁８６よりも前方側（裏ユニット３５前方側）の部分を前方部８５ｂとなし、基体部８５ａの後端縁８７よりも後方側（裏ユニット３５後方側）の部分を後方部８５ｃとなし、これら基体部８５ａと前方部８５ｂと後方部８５ｃとで一体をなして構成されている。
【００５２】
第２アース部材８３は、後方部８５ｃと基体部８５ａとの境界位置（後端縁８７に接する位置）で裏ユニット３５の外側方向に屈曲しており、遊技盤３を中枠１にはめ込む前の状態では、裏ユニット３５の後面から後方に向かって突出するように傾斜し（図６中、破線にて表示）、前後に弾性変形可能に構成されている。遊技盤３が中枠１にはめ込まれる際には、第２アース部材８３の後方部８５ｃは、右枠部材９ｄに固定された第１軸受部３０ａに当接するとともに弾性変形する（図６中、後方部８５ｃの変形する方向を矢印にて示す）。第２アース部材８３の後方部８５ｃは、弾性的に後方に向かって付勢されており、中枠１の第１軸受具３０ａに接触した状態が強く維持される。
【００５３】
裏ユニット３５には、その後方側と前方側の両方に露出する導電性の第３アース部材８８が設けられている（図１１，１２，１３）。第３アース部材８８は、導電性を有する導電性線材８９（アース用の配線材）と、導電性線材８９の一方端に電気的に接続された導電性の受具９０とからなる。第３アース部材８８の受具９０は、裏ユニット３５の前面側に配置されて裏ユニット３５に螺子を介して固定されている。
【００５４】
受具９０は、導電性を有する帯状の金具を長手方向所定位置にて斜めに屈曲して屈曲部を形成してなる屈曲金具である。受具９０が螺子９３にて裏ユニット３５に取り付けられた際、受具９０には、屈曲部から長手方向前方に向かって遊技機１００前方に斜めに立ち上がる部分が形成され、その部分が受具９０において傾斜部９１をなす。
【００５５】
図１２に示すように、「裏ユニット３５において第３アース部材８８の受具９０が固定される位置」は、「裏ユニット３５を透明樹脂盤３４の後面に対して整合するように組付けた際において透明樹脂盤３４に取り付けられた始動入賞装置４２の後方形成部７３と受具９０の傾斜部９１とが対面するような位置」となっている。ここで、始動入賞装置４２は、透明樹脂盤３４の遊技部材設置用開口部４１に取り付けられている。したがって、裏ユニット３５を透明樹脂盤３４の後面に対して整合するように組付けた際には、受具９０の傾斜部９１は、遊技盤１００の前後方向に見た場合に透明樹脂盤３４の遊技部材設置用開口部４１から視認可能な位置に配置される（図１１）。
【００５６】
裏ユニット３５においては、受具９０が螺子９３にて螺子止めされる位置の近傍に開口部９２が形成されている。このとき、受具９０は、この開口部９２から裏ユニット３５の裏面側に臨む（図１３）。この開口部９２は、第３アース部材８８の導電性線材８９と受具９０を接触させるために形成されるものである（図１２）。すなわち、裏ユニット３５において受具９０を裏面側に臨ませる開口部９２に対して、第３アース部材８８を構成する導電性線材８９が、導電性線材８９の一方端８９ａより挿通されるとともに受具９０に対して接触し、半田付けなどの方法にて電気的に接続された状態を維持するように固定される。
【００５７】
第３アース部材８８の導電性線材８９については、受具９０との非接続端をなす長手方向他方端８９ｂが、第２アース部材８３までのびている。このとき、その導電性線材８９は、裏ユニット３５の枠状体８２裏面領域内で取り回される（図１３）。このとき、導電性線材８９は、裏ユニット３５裏面に設けられた止め部材９４にて係止されている。そして、その導電性線材８９は、その長手方向他方端８９ｂで第２アース部材８３に対して接触し、半田付けなどにて、第２アース部材８３に対して電気的に接続される。
【００５８】
第３アース部材８８は、その受具９０の傾斜部９１にて、透明樹脂盤３４に設けられた始動入賞装置４２の導電部Ｋを構成する導電部材７１における後方形成部７３に対して接触し、その導電部Ｋに対して電気的に接続される。このとき、傾斜部９１は、前方に向かって斜め傾斜しており、前方に向かって弾性的に付勢されている。これにより、第３アース部材８８の受具９０と始動入賞装置４２の導電部Ｋとの接触は、より強く維持される。
【００５９】
この遊技機１００においては、アタッカー装置４４は、始動入賞装置４２に対して導電部Ｋの突出部８０にて接触しており、且つ、始動入賞装置４２の導電部Ｋは、第３アース部材８８に接触している。さらに、第３アース部材８８は、第２アース部材８３に対して接触している。そして、第２アース部材８３は、中枠１の第１軸受具３０ａ（第１アース部材）に接触する。したがって、アタッカー装置４４に生じた静電気は、始動入賞装置４２から第３アース部材８８、第２アース部材８３、第１アース部材をなす第１軸受具３０を経由して、遊技機１００外部へと導かれる。
【００６０】
本発明の遊技機１００においては、第２アース部材８３として、上記した後方部８５ｃと基体部８５ａとから構成されるものが用いられてもよい。
【００６１】
また、本発明の遊技機１００においては、図１４、１５、１６に示すように、導電性の接触部材９５が、コーナー飾り９６の裏面側に設けられていることが好ましい。接触部材９５が設けられる場合、図１４、１５に示すように、遊技機１００には、透明樹脂盤３４を裏ユニット３５に組付ける際、透明樹脂盤３４において第２アース部材の前方部に対して対面する部分に、切欠部９７が設けられる。そして、接触部材９５は、その一方端側を透明樹脂盤３４に設けられる案内レール３６に対して接触させるように設けられて案内レール接触部９８をなすとともに、他方端側を第２アース部材８３に対して切欠部９７を介して接触させてアース接触部９９となす。すなわち、接触部材９５が、案内レール接触部９８において案内レール３６に対して接触して電気的に接続される。そして、接触部材９５は、その他方端側（アース接触部側）を切欠部９７に臨ませて配置されるとともに、第２アース部材８３の前方部８５ｂに対して接触させており、第２アース部材８３に対して電気的に接続されている。このように、接触部材９５は、案内レール３６と第２アース部材８３の両方に対して接触する。
【００６２】
なお、本発明の遊技機を説明するにあたり、互いに隣接しあう２つの遊技部品が始動入賞装置とアタッカー装置の組み合わせであり、アタッカー装置に生じた静電気が始動入賞装置を経由して遊技機外部へと導かれる場合の遊技機の例が用いられたが、本発明の遊技機は、互いに隣接しあう２つの遊技部品であれば、上記の組み合わせに限られない。
【００６３】
また、本発明の遊技機を説明するにあたり、互いに隣接しあう２つの遊技部品が突出部にて透明樹脂盤の厚み方向に相互に接触する場合を例として用いたが、本発明の遊技機は、互いに隣接しあう２つの遊技部品は透明樹脂盤の面に対して並行な方向に接触してもよい。
【００６４】
また、本発明の遊技機において、中枠には、軸受具として、導電性を有するものが３以上設けられてもよく、その場合、第１アース部材として、その導電性を有する軸受具のうちいずれの軸受具が選ばれてもよい。ただし、裏ユニットにおいて、第２アース部材は、選択された第１アース部材をなす軸受具に対して電気的に接続可能な位置に配置される。
【００６５】
本発明の遊技機において、中枠は、金属や樹脂、木材などの材料を用いて形成可能なものである。中枠については、上下の枠部材として樹脂成形されたものが用いられ、左右の枠部材として金属成形されたものが用いられることが好ましい。この場合、右枠部材全体が金属にて形成され、右枠部材全体が導電性を有することとなり、右枠部材全体が第１アース部材となることが可能である。
【００６６】
上記の遊技機において、突出部は、導電部に形成されていればフランジ部に形成される場合に限られない。例えば、突出部は、本体部のうち遊技部品を透明樹脂盤に取り付けた際にフランジ部の形成位置から透明遊技盤の裏面側に位置する部分に形成されていてもよい。
【図面の簡単な説明】
【００６７】
【図１】本発明の遊技機の実施例の１つにおける概略正面図である。
【図２】図１の遊技機の前枠を取り外した状態を説明する概略正面図である。
【図３】図１の遊技機に嵌めこまれる遊技盤の概略正面図である。
【図４】遊技盤の分解斜視図である。
【図５】第２アース部材と第１軸受具の構造を説明するための部分分解斜視図である。
【図６】図２のＡ−Ａ線断面を模式的に示して第２アース部材と第１軸受具の位置関係を説明するための部分断面模式図である。
【図７】（ａ）始動入賞装置の正面図である。（ｂ）始動入賞装置の右側面図である。（ｃ）始動入賞装置の平面図である。
【図８】始動入賞装置の分解斜視図である。
【図９】始動入賞装置とアタッカー装置を取り付けた透明樹脂盤の背面図である。
【図１０】透明樹脂盤に始動入賞装置とアタッカー装置を取り付けた場合の始動入賞装置とアタッカー装置の位置関係を模式的に示す背面図である。
【図１１】裏ユニットの枠状体を示す正面図である
【図１２】透明樹脂盤に取り付けられた始動入賞装置とアタッカー装置と、裏ユニットに取り付けられた第３アース部材との位置関係を模式的に示す模式図である。
【図１３】第３アース部材を取り付けた枠状体の背面図である。
【図１４】接触部材を設けた遊技機において、案内レールと接触部材とコーナー飾りとの位置関係を説明するための模式図である。
【図１５】接触部材と切欠部の構造を説明するための部分分解斜視図である。
【図１６】図６の断面模式図に対応する図面を接触部材を設けた遊技機について示すものであって接触部材と切欠部および第２アース部材と第１軸受具の位置関係を説明するための部分断面模式図である。
【符号の説明】
【００６８】
１  中枠
２  外枠
３  遊技盤
４  前枠
５  上球皿
６  下球皿
７  打球発射装置
８  外枠部材
９  枠部材
１０  遊技盤保持空間
１１  保護カバー
１２  前枠支持部
１３  下枠支持部
２０  保護カバー支持部
２０ａ  支持材
２０ｂ  支持軸
２４，２５，２６  枠支持部材
２７  固定部材
２８  保持具
３０  軸受具
３１  軸受部
３２  取付部
３３  孔部
３４  透明樹脂盤
３５  裏ユニット
３６  案内レール
３７  大開口部
３８  センター役物
３９  画面用開口部
４０  図柄表示装置
４１  遊技部材設置用開口部
４２  始動入賞装置
４３  開閉板
４４  アタッカー装置
４５  普通入賞装置
４６  風車
４７  障害釘
４８  装飾部材
５０  アタッカー本体部
５１  アタッカーフランジ部
５２  本体部
５３  フランジ部
５４，５５  流路形成部材
５６，５７  センサ
５８，５９  可動翼片
６０  前板
６１  翼片制御機構
６２  翼片支持部材
６３  ソレノイド
６４  中継部材
６５  フランジ本体部
６６  光透過性装飾部材
６７  発光装置
６８  ボス部
６９  螺子孔
７０  螺子
７１  導電部材
７２  前方形成部
７３  後方形成部
７４  屈曲部
７５  貫通孔
８０  突出部
８１  枠状体
８２  枠状体の内側空間
８３  第２アース部材
８４  螺子
８５  屈曲金具
８５ａ  基体部
８５ｂ  前方部
８５ｃ  後方部
８６  先端縁
８７  後端縁
８８  第３アース部材
８９  導電性線材
９０  受具
９１  傾斜部
９２  開口部
９３  螺子
９５  接触部材
９６  コーナー飾り
９７  切欠部
【図１】
2010119595.tif 000003
【図２】
2010119595.tif 000004
【図３】
2010119595.tif 000005
【図４】
2010119595.tif 000006
【図５】
2010119595.tif 000007
【図６】
2010119595.tif 000008
【図７】
2010119595.tif 000009
【図８】
2010119595.tif 000010
【図９】
2010119595.tif 000011
【図１０】
2010119595.tif 000012
【図１１】
2010119595.tif 000013
【図１２】
2010119595.tif 000014
【図１３】
2010119595.tif 000015
【図１４】
2010119595.tif 000016
【図１５】
2010119595.tif 000017
【図１６】
2010119595.tif 000018